(57)【要約】【課題】室内側からの湿気を効率的に外部に排出できて、下地面で結露するようなことがない建物の多重断熱通気装置を提供すること。【解決手段】パネル１０が縦材１１と横架材１２によって形成される空間に嵌め込み設置されて側壁が形成され、パネルの面材１４の外側に横胴縁２６が設置され、横胴縁間に透湿防水シート付断熱部材２８が嵌め込み設置され、透湿防水シートの外側に縦胴縁３２が所定間隔で設置され、縦胴縁間の外側に外装材３４が取り付けられ、外装材と透湿防水シート間に通気用空隙３５が形成された建物の、パネルの面材の室内側に通気空間１７を確保するパッキン１６と断熱材１８が設置され、通気空間と連通する通気穴２０がパネルの横部材に設けられているとともに、最下方にある横架材以外の横架材に通気穴と連通する第２の通気穴２２，２４が設けられていることを特徴とする。【選択図】      図３
2004257097.tif 000002
【特許請求の範囲】
【請求項１】
縦部材と横部材によって方形枠型のパネル本体が形成され、該パネル本体の開口した一側に面材が取り付けられて構成されたパネルを具え、前記パネルが面材を外側に向けて柱、中間柱等の縦材と土台や梁等の横架材によって形成される空間に嵌め込み設置されて側壁が形成され、さらに前記パネルの面材の外側に横胴縁がほぼ横架材と対応する位置で設置され、該横胴縁間に透湿防水シート付断熱部材が該シートを外側に向けて嵌め込み設置され、前記透湿防水シートの外側に縦胴縁が所定間隔で設置され、該縦胴縁の外側に外装材が取り付けられ、該外装材と前記透湿防水シート間に通気用空隙が形成された建物であって、
前記パネルの面材の室内側に通気空間を確保するパッキンと断熱材が設置され、前記通気空間と連通する通気穴がパネルの横部材に設けられているとともに、最下方にある横架材以外の横架材に前記通気穴と連通する第２の通気穴が設けられていることを特徴とする建物の多重断熱通気装置。
【請求項２】
第２の通気穴が、横架材の長さ方向に延びる通気凹溝部を含んでいる請求項１記載の建物の多重断熱通気装置。
【請求項３】
透湿防水シートが、断熱部材の上下端より所定長さ突出しており、この突出した部分が横胴縁上で重合可能になっている請求項１又は２記載の建物の多重断熱通気装置。
【請求項４】
前記パネルが、建物の１階部分と２階部分に設置され、建物室内側からの湿気が１階部分のパネルの通気空間及び通気穴から２階部分のパネルの通気空間及び通気穴へ、両パネル間の横架材の第２通気穴を経て抜け、さらに２階部分のパネルの通気空間及び通気穴から該パネルの上の横架材の第２通気穴を経て小屋裏に抜けるようになっている請求項１ないし３のいずれかに記載の建物の多重断熱通気装置。
【発明の詳細な説明】
【０００１】
【発明の属する技術分野】
この発明は、木質系建物の多重断熱通気装置、さらに詳しくは建物の室内側からの湿気を効率よく流通させて外部に排気し、下地面に湿気による結露が生じないようにした通気装置に関するものである。
【０００２】
【従来の技術】
柱や中間柱などの縦材と、土台や梁などの横架材でなる軸組体の屋外側に板状の壁下地材を張設して前記軸組体で構成される前記柱間の開口部を閉塞し、該壁下地材の屋外側面に、前記横架材に重ねて止着した上下１対の横胴縁間にして板状の断熱材を重合し、この断熱材及び前記横胴縁の屋外側面を被装する透湿防水シートの屋外側に、前記縦材に重ねて縦胴縁を配して前記横胴縁に止着し、該縦胴縁間に外装材を張設して該外装材と前記透湿防水シートとの間に外界と連通する空隙を設けた木造建物の壁構造が提案されている（例えば、特許文献１）。
【０００３】
【特許文献１】
特開２００２−９７７３３号公報（第１頁、図１，２）
【０００４】
この壁構造によれば、外装材と透湿防水シート間に形成される空隙内が開口部を通じて外界と連通することにより、外気が導入され、外装材の屋内側面の結露を防止し、結露水により縦胴縁の腐蝕を防ぐことが可能である。
【０００５】
しかしながら、前記の壁構造では、室内側からの湿気が透湿抵抗の大きい合板等の壁下地材があるために、下地面で結露し、断熱材が劣化しやすいという問題点があった。
【０００６】
【発明が解決しようとする課題】
そこでこの発明は、前記のような従来の問題点を解決し、室内側からの湿気を効率的に外部に排出できて、下地面で結露するようなことがない通気装置を提供することを目的とする。
【０００７】
【課題を解決するための手段】
前記目的を達成するため、請求項１に記載の発明は、縦部材と横部材によって方形枠型のパネル本体が形成され、該パネル本体の開口した一側に面材が取り付けられて構成されたパネルを具え、前記パネルが面材を外側に向けて柱、中間柱等の縦材と土台や梁等の横架材によって形成される空間に嵌め込み設置されて側壁が形成され、さらに前記パネルの面材の外側に横胴縁がほぼ横架材と対応する位置で設置され、該横胴縁間に透湿防水シート付断熱部材が該シートを外側に向けて嵌め込み設置され、前記透湿防水シートの外側に縦胴縁が所定間隔で設置され、該縦胴縁間の外側に外装材が取り付けられ、該外装材と前記透湿防水シート間に通気用空隙が形成された建物であって、前記パネルの面材の室内側に通気空間を確保するパッキンと断熱材が設置され、前記通気空間と連通する通気穴がパネルの横部材に設けられているとともに、最下方にある横架材以外の横架材に前記通気穴と連通する第２の通気穴が設けられていることを特徴とする。
【０００８】
請求項２に記載の発明は、請求項１において、第２の通気穴が、横架材の長さ方向に延びる通気凹溝部を含んでいることを特徴とする。請求項３に記載の発明は、請求項１又は２において、透湿防水シートが、断熱部材の上下端より所定長さ突出しており、この突出した部分が横胴縁上で重合可能になっていることを特徴とする。
【０００９】
請求項４に記載の発明は、請求項１ないし３のいずれかにおいて、前記パネルが、建物の１階部分と２階部分に設置され、建物室内側からの湿気が１階部分のパネルの通気空間及び通気穴から２階部分のパネルの通気空間及び通気穴へ、両パネル間の横架材の第２通気穴を経て抜け、さらに２階部分のパネルの通気空間及び通気穴から該パネルの上の横架材の第２通気穴を経て小屋裏に抜けるようになっていることを特徴とする。
【００１０】
【発明の実施の形態】
この発明の一実施の形態を、添付図面を参照して説明する。図１はパネル工法により建てられた木質系建物の縦断面図、図２は同横断面図、図３は同斜視図である。
【００１１】
１は２階建ての建物であり、基礎２の上に土台３が設置され、該土台の上に柱、中間柱等の縦材４が立設さ、１階部分と２階部分の間には横架材としての梁又は胴差５が設置され、小屋裏に連なる２階部分の上部には横架材としての桁６が設置され、これら縦材４と横架材５，６により建物の軸組体が構成されている。
【００１２】
１階部分と２階部分における軸組体の縦材４と横架材５，６によって形成される空間には木質複合壁パネル１０が嵌め込まれて配置され、建物１の側壁が形成されている。壁パネル１０は縦部材１１と横部材１２によって形成された方形枠型のパネル本体１３を有し、該パネル本体の開口した外向きの一側には面材１４が接着により取り付けられている。
【００１３】
壁パネル１０の面材１４より室内側には通気パッキン１６がその周囲に通気空間１７を形成して設置されているとともに、断熱材１８がパッキン１６と隣接して設置されている。そして断熱材１８とパッキン１６を室内側から覆うように石膏ボードなどの内装材１９が取り付けられている。また壁パネル１０の横部材１２には通気穴２０が通気空間１７と直上方向に連通して設けられている。
【００１４】
梁又は胴差５には１階部分の壁パネル１０の最上位横部材１２に設けた通気穴２０及び２階部分の壁パネル１０の最下位横部材に設けた通気穴２０とそれぞれ連通する第２の通気穴２２が設けられている。通気穴２２は図３から明らかのように梁又は胴差５の長さ方向の下角部を切欠により形成した通気凹溝部２２ａ、同様に梁又は胴差５の長さ方向の上角部を切欠により形成した通気凹溝部２２ｂ、これら両通気凹溝部２２ａ，２２ｂを連通する穴部２２ｃから構成され、前記のような通気凹溝部２２ａ，２２ｂを有することにより穴部２２ｃと壁パネル１０の通気穴２０の位置が合わなくとも通気に支障がないようになっている。
【００１５】
桁６にも２階部分の壁パネル１０の最上位横部材１２に設けた通気穴２０と連通する通気穴２４が設けられている。この通気穴２４は桁６の長さ方向の下角部を切欠により形成した通気凹溝部２４ａから構成され、実質的に前記通気穴２２と同様な機能をもっている。土台３には前記のような通気穴２２，２４が設けられていない。これは土台３の下方など土台付近からの空気が流入しないようにするためである。
【００１６】
壁パネル１０の面材１４の外側には横胴縁２６が土台３、梁又は胴差５、桁６直下の部分と対応した位置で設置され、該各横胴縁間には透湿防水シート２７付きの断熱部材２８が、壁パネル１０を外側から覆うようにして該シートを外側に向けて嵌め込まれて設置されている。透湿防水シート２７は図３から明らかのように横幅は断熱部材２８と同じ寸法であるが、縦幅は断熱部材２８より横胴縁２６の幅相当ぶん長い寸法となっていて、この上下に突出した部分２７ａ，２７ｂが上下に隣接するシート同士をオーバラップさせるとにより防水機能を向上させている。３０は気密テープで、左右に隣接する壁パネル１０の端縁間、上下に隣接する壁パネル１０の端縁間にそれぞれ接着されている。
【００１７】
１階部分と２階部分にわたる透湿防水シート２７の外側には縦胴縁３２が横胴縁２６と固着して所定間隔で設置され、該縦材間の外側には外装材３４が取り付けられ、該外装材と透湿防水シート２７間には通気用空隙３５が形成されている。この空隙３５は下方が土台３付近で開口し、上方が小屋裏付近で開口している。３６は土台水切である。
【００１８】
前記のような建物１において室内側の湿気は、矢印Ａに示すように１階部分にあっては断熱材１８からパッキン１６間に形成される通気空間１７、壁パネル１０の横部材１２の通気穴２７、さらに梁又は胴差５の通気穴２２を経て２階部分の壁パネル１０の横部材１２の通気穴２７へ流入し、２階部分にあつては１階部分と同様に流れて１階部分の空気と合流して桁６の通気穴２４を経て小屋裏へ流れて抜ける。建物の外壁内にこのような通気を確保することにより外壁内の換気を高め、従来のような湿気による下地面での結露、それに基づく断熱材１８の劣化を防ぐことが可能となる。
【００１９】
一方、建物の外側の空気は、土台下付近から矢印Ｂに示すように空隙３５の下方開口から内部に導入され、さらにここを経て上方開口から小屋裏へ流れて抜ける。これにより外装材３４の屋内側面の結露を防止し、従来と同様に結露水により縦胴縁３５の腐蝕を防ぐことが可能となる。
【００２０】
尚、実施の形態は好ましい一例を示したにすぎず、壁パネル１０の構造やその横部材１２に設ける通気穴２０の形状や位置、あるいは横架材である梁又は胴差５や桁６に設ける通気穴２２，２４の形状などは図示したもの以外のものとしてもよい。また、２階建ての建物を例としたが１階建て、３階建て以上の建物にも実施可能である等、実施に際しては特許請求の範囲に記載した技術的な事項の範囲内でその設計を任意に変更、修正することが可能であることはいうまでもない。
【００２１】
【発明の効果】
請求項１ないし４に記載の発明は前記のような構成からなるので、室内側からの湿気を効率的に外部に排出できて、従来のように下地面で結露するようなことがない。そのため室内側の断熱材の劣化がなくて、該断熱材を長期に亘り有効使用することができるという優れた効果がある。
【図面の簡単な説明】
【図１】この発明の一実施の形態を示すパネル工法により建てられた木質系建物の縦断面図である。
【図２】同上の横断面図である。
【図３】同上の斜視図である。
【符号の説明】
１  木質系建物                        ２  基礎
４  縦材                              ５  梁又は胴差（横架材）
６  桁（横架材）                      １０  壁パネル
１１  縦部材                          １２  横部材
１３  パネル本体                      １４  面材
１６  通気パッキン                    １７  通気空間
１８  断熱材                          １９  内装材
２０，２４  通気穴                    ２２  第２の通気穴
２７  透湿防水シート                  ２８  断熱部材
３２  縦胴縁                          ３４  外装材
３５  通気用空隙
【図１】
2004257097.tif 000003
【図２】
2004257097.tif 000004
【図３】
2004257097.tif 000005